(57)【要約】【課題】違算を発生させることなく、釣銭機を単独操作させることで釣銭機の入出金処理を迅速に行わせる。【解決手段】釣銭機１０の入出金情報送信部１３は単独操作の開始指示を受信することで開始された入出金処理の入出金情報をＰＯＳ端末２０に送信する。ＰＯＳ端末２０のアイコン表示／削除部２２は入出金情報を受信したことを示すアイコンを表示画面上に表示させ、交代処理禁止／解除部２３はオペレータ交代処理の実行を禁止させる。入出金情報登録部２７は、アイコンへの実行指示により表示される入出金種別入力画面から入力された入出金の種別を含む入出金情報を記憶部に登録する。全ての入出金情報に対応する入出金の種別が登録された場合に、アイコン表示／削除部２２は、表示画面上からアイコンを削除し、交代処理禁止／解除部２３は、オペレータの交代処理の実行の禁止を解除する。【選択図】図１
2008243056.tif 000002
【特許請求の範囲】
【請求項１】
ＰＯＳ端末と釣銭機とを有するＰＯＳシステムであって、
前記釣銭機は、
自機単独での入出金操作を開始させる単独操作開始指示を受信する開始指示受信手段と、
前記開始指示受信手段によって前記単独操作開始指示が受信された場合に、その後に入出金された入出金額を含む入出金情報を前記ＰＯＳ端末に送信する入出金情報送信手段と、を備え、
前記ＰＯＳ端末は、
前記釣銭機から送信された前記入出金情報を受信する入出金情報受信手段と、
前記入出金情報受信手段によって前記入出金情報が受信された場合に、前記入出金情報が受信されたことを示す指標を表示画面上に表示させる指標表示手段と、
前記指標表示手段によって表示された前記指標に対する実行指示を検知する実行指示検知手段と、
前記実行指示検知手段によって前記実行指示が検知された場合に、前記入出金情報に含まれる入出金額ごとに入出金の種別を入力させる入力画面を表示画面上に表示する入力画面表示手段と、
前記入力画面表示手段によって表示された前記入力画面から入力された前記入出金の種別を、前記入出金額を含む前記入出金情報に対応付けて記憶手段に登録する登録手段と、
前記入出金情報受信手段によって受信された全ての前記入出金情報に含まれる入出金額に対応する前記入出金の種別が登録された場合に、前記表示画面上から前記指標を削除する指標削除手段と、を備える
ことを特徴とするＰＯＳシステム。
【請求項２】
前記ＰＯＳ端末は、
オペレータの交代処理を実行する交代処理実行手段と、
前記指標表示手段によって前記指標が表示された場合に、前記交代処理の実行を禁止させる禁止手段と、
をさらに備えることを特徴とする請求項１に記載のＰＯＳシステム。
【請求項３】
前記ＰＯＳ端末は、
前記指標削除手段によって前記指標が削除された場合に、前記交代処理の実行の禁止を解除する解除手段と、
をさらに備えることを特徴とする請求項２に記載のＰＯＳシステム。
【請求項４】
前記ＰＯＳ端末は、
前記登録手段によって登録された前記入出金の種別および前記入出金情報を用いて各種帳票を印刷して出力する出力手段を
さらに備えることを特徴とする請求項１〜３のいずれか１項に記載のＰＯＳシステム。
【請求項５】
ＰＯＳ端末と釣銭機とを有するＰＯＳシステムを制御する方法であって、
前記釣銭機が、
自機単独での入出金操作を開始させる単独操作開始指示を受信する開始指示受信工程と、
前記開始指示受信工程において前記単独操作開始指示が受信された場合に、その後に入出金された入出金額を含む入出金情報を前記ＰＯＳ端末に送信する入出金情報送信工程と、を含み、
前記ＰＯＳ端末が、
前記釣銭機から送信された前記入出金情報を受信する入出金情報受信工程と、
前記入出金情報受信工程において前記入出金情報が受信された場合に、前記入出金情報が受信されたことを示す指標を表示画面上に表示させる指標表示工程と、
前記指標表示工程において表示された前記指標に対する実行指示を検知する実行指示検知工程と、
前記実行指示検知工程において前記実行指示が検知された場合に、前記入出金情報に含まれる入出金額ごとに入出金の種別を入力させる入力画面を表示画面上に表示する入力画面表示工程と、
前記入力画面表示工程において表示された前記入力画面から入力された前記入出金の種別を、前記入出金額を含む前記入出金情報に対応付けて記憶手段に登録する登録工程と、
前記入出金情報受信工程において受信された全ての前記入出金情報に含まれる入出金額に対応する前記入出金の種別が登録された場合に、前記表示画面上から前記指標を削除する指標削除工程と、を含む
ことを特徴とするＰＯＳシステムの制御方法。
【発明の詳細な説明】
【技術分野】
【０００１】
この発明は、ＰＯＳ端末と釣銭機とを有するＰＯＳシステムおよびその制御方法に関し、特に、釣銭機の入出金処理を迅速に行わせることができるＰＯＳシステムおよびその制御方法に関する。
【背景技術】
【０００２】
顧客が購入する商品を精算して入出金情報を管理するシステムとしてＰＯＳシステムが広く用いられている。このようなＰＯＳシステムには、ＰＯＳ端末に釣銭機を接続したＰＯＳシステムもある。下記特許文献１には、ＰＯＳ端末に釣銭機を接続したＰＯＳシステムに関する技術が開示されており、このＰＯＳシステムでは、予めＰＯＳ端末で入出金の処理データを生成しておき、この処理データをＰＯＳ端末から取得した釣銭機が、処理データに含まれる処理区分に応じて入金や出金の処理を行っている。
【０００３】
【特許文献１】特開２００２−１１７４５６号公報
【発明の開示】
【発明が解決しようとする課題】
【０００４】
ところで、釣銭機は、独立して動作させることができる装置であるため、釣銭機で行われる入出金処理の内容を管理する機能を有している。しかしながら、ＰＯＳシステムでは、釣銭機で管理されていない情報、例えば、入出金処理の種類についても管理している。したがって、ＰＯＳ端末に釣銭機を接続したＰＯＳシステムでは、入出金情報を一元管理するために、釣銭機で行われた入出金処理の内容をＰＯＳ端末に送信させるのではなく、予めＰＯＳ端末で入出金処理の種類を含む入出金情報を入力して釣銭機に入出金処理を開始させる指示を送信してから、釣銭機で入出金処理を行わせることとしている。これにより、ＰＯＳ端末と釣銭機の双方で管理されている入出金情報の整合性をとっている。
【０００５】
ところが、予めＰＯＳ端末で入出金情報を入力させてから釣銭機に入出金処理を実行させていると、例えば、釣銭機に収納されている釣銭が切れた場合には、入出金処理に手間がかかり時間を要してしまう。したがって、例えば、迅速に精算することが要求される量販店等では、顧客を待たせてしまう要因となり、問題となる。そこで、迅速性を優先させて、ＰＯＳ端末からの開始指示を受けずに釣銭機を単独で操作させて入出金処理を行うことがある。この場合には、予めＰＯＳ端末で行われる入出金処理の種類を含む入出金情報の入力作業等を省略させることができるため、そのぶん入出金処理に要する時間を短縮させることができる。
【０００６】
しかしながら、ＰＯＳ端末からの開始指示を受けずに釣銭機を単独で操作させて入出金操作を行った場合には、釣銭機では入出金処理の種類が管理されておらず、この入出金処理の種類を含む入出金情報をＰＯＳ端末に送信することができないため、ＰＯＳ端末と釣銭機の双方で管理されている入出金情報の整合性がとれなくなる。これにより、その入出金処理の使途を後から特定することができなくなり、違算が発生してしまうという問題がある。
【０００７】
この発明は、上述した従来技術による問題点を解消するためになされたものであり、違算を発生させることなく、釣銭機を単独操作させることで釣銭機の入出金処理を迅速に行わせることができるＰＯＳシステムおよびその制御方法を提供することを目的とする。
【課題を解決するための手段】
【０００８】
上述した課題を解決し、目的を達成するため、本発明は、ＰＯＳ端末と釣銭機とを有するＰＯＳシステムであって、上記釣銭機は、自機単独での入出金操作を開始させる単独操作開始指示を受信する開始指示受信手段と、開始指示受信手段によって単独操作開始指示が受信された場合に、その後に入出金された入出金額を含む入出金情報をＰＯＳ端末に送信する入出金情報送信手段と、を備え、上記ＰＯＳ端末は、釣銭機から送信された入出金情報を受信する入出金情報受信手段と、入出金情報受信手段によって入出金情報が受信された場合に、入出金情報が受信されたことを示す指標を表示画面上に表示させる指標表示手段と、指標表示手段によって表示された指標に対する実行指示を検知する実行指示検知手段と、実行指示検知手段によって実行指示が検知された場合に、入出金情報に含まれる入出金額ごとに入出金の種別を入力させる入力画面を表示画面上に表示する入力画面表示手段と、入力画面表示手段によって表示された入力画面から入力された入出金の種別を、入出金額を含む入出金情報に対応付けて記憶手段に登録する登録手段と、入出金情報受信手段によって受信された全ての入出金情報に含まれる入出金額に対応する入出金の種別が登録された場合に、表示画面上から指標を削除する指標削除手段と、を備えることを特徴とする。
【０００９】
また、本発明は、ＰＯＳ端末と釣銭機とを有するＰＯＳシステムを制御する方法であって、上記釣銭機が、自機単独での入出金操作を開始させる単独操作開始指示を受信する開始指示受信工程と、開始指示受信工程において単独操作開始指示が受信された場合に、その後に入出金された入出金額を含む入出金情報をＰＯＳ端末に送信する入出金情報送信工程と、を含み、上記ＰＯＳ端末が、釣銭機から送信された入出金情報を受信する入出金情報受信工程と、入出金情報受信工程において入出金情報が受信された場合に、入出金情報が受信されたことを示す指標を表示画面上に表示させる指標表示工程と、指標表示工程において表示された指標に対する実行指示を検知する実行指示検知工程と、実行指示検知工程において実行指示が検知された場合に、入出金情報に含まれる入出金額ごとに入出金の種別を入力させる入力画面を表示画面上に表示する入力画面表示工程と、入力画面表示工程において表示された入力画面から入力された入出金の種別を、入出金額を含む入出金情報に対応付けて記憶手段に登録する登録工程と、入出金情報受信工程において受信された全ての入出金情報に含まれる入出金額に対応する入出金の種別が登録された場合に、表示画面上から指標を削除する指標削除工程と、を含むことを特徴とする。
【００１０】
これらの発明によれば、釣銭機は、オペレータの操作指示による単独操作開始指示を受信すると、その後に入出金された入出金額を含む入出金情報をＰＯＳ端末に送信することができ、ＰＯＳ端末は、釣銭機から送信された入出金情報を受信すると、入出金情報が受信されたことを示す指標を表示画面上に表示させ、この指標に対する実行指示を検知すると、入出金情報に含まれる入出金額ごとに入出金の種別を入力させる入力画面を表示画面上に表示させ、この入力画面から入力された入出金の種別を、入出金額を含む入出金情報に対応付けて記憶手段に登録させることができるとともに、表示画面上から指標を削除させることができる。したがって、オペレータが釣銭機を単独で操作して入出金した場合であっても、その操作により入出金された額を含む入出金情報がＰＯＳ端末に通知され、この入出金情報を受信したＰＯＳ端末では、入出金情報に対応する入出金の種別をオペレータに入力するように促すことができ、オペレータにより入力された入出金の種別を入出金情報に対応付けて記憶手段に登録させることができ、釣銭機の単独操作により発生した全ての入出金情報の入出金の種別が入力されたときに、オペレータへの入力の促しを終了させることができる。それゆえに、違算を発生させることなく、釣銭機を単独操作させることで釣銭機の入出金処理を迅速に行わせることができる。
【００１１】
また、本発明は、上記発明において、上記ＰＯＳ端末は、オペレータの交代処理を実行する交代処理実行手段と、指標表示手段によって指標が表示された場合に、交代処理の実行を禁止させる禁止手段と、をさらに備えることを特徴とする。
【００１２】
これにより、釣銭機を単独で操作したオペレータが、その操作により発生した全ての入出金情報の入出金の種別を入力しない限り、オペレータの交代処理が禁止されるため、ＰＯＳ端末では、全ての入出金の内容を確実に管理することができる。
【００１３】
また、本発明は、上記発明において、上記ＰＯＳ端末は、指標削除手段によって指標が削除された場合に、交代処理の実行の禁止を解除する解除手段と、をさらに備えることを特徴とする。
【００１４】
これにより、釣銭機を単独で操作したオペレータが、その操作により発生した全ての入出金情報の入出金の種別を入力し終えた段階で、オペレータの交代処理を再開させることができる。
【００１５】
また、本発明は、上記発明において、上記ＰＯＳ端末は、登録手段によって登録された入出金の種別および入出金情報を用いて各種帳票を印刷して出力する出力手段をさらに備えることを特徴とする。
【００１６】
これにより、釣銭機の単独操作により入力された入出金情報を、ＰＯＳ端末から入力された入出金の種別とともに、レシートやジャーナル等の各種の帳票に印刷して出力させることができる。
【発明の効果】
【００１７】
本発明によれば、オペレータが釣銭機を単独で操作して入出金した場合であっても、その操作により入出金された額を含む入出金情報がＰＯＳ端末に通知され、この入出金情報を受信したＰＯＳ端末では、入出金情報に対応する入出金の種別をオペレータに入力するように促すことができ、オペレータにより入力された入出金の種別を入出金情報に対応付けて記憶手段に登録させることができ、釣銭機の単独操作により発生した全ての入出金情報の入出金の種別が入力されたときに、オペレータへの入力の促しを終了させることができる。
【００１８】
また、本発明によれば、釣銭機を単独で操作したオペレータが、その操作により発生した全ての入出金情報の入出金の種別を入力しない限り、オペレータの交代処理が禁止されるため、ＰＯＳ端末では、全ての入出金の内容を確実に管理することができる。
【００１９】
また、本発明によれば、釣銭機を単独で操作したオペレータが、その操作により発生した全ての入出金情報の入出金の種別を入力し終えた段階で、オペレータの交代処理を再開させることができる。
【００２０】
すなわち、本発明によれば、違算を発生させることなく、釣銭機を単独操作させることで釣銭機の入出金処理を迅速に行わせることができるという効果を奏する。
【発明を実施するための最良の形態】
【００２１】
以下に添付図面を参照して、この発明に係るＰＯＳシステムおよびその制御方法の好適な実施形態を詳細に説明する。
【実施例】
【００２２】
まず、本実施例におけるＰＯＳシステムの構成について説明する。図１は、ＰＯＳシステムの構成を示す図である。同図に示すように、ＰＯＳシステム１は、釣銭機１０と、ＰＯＳ端末２０とを有する。
【００２３】
釣銭機１０は、ＰＯＳ端末２０と連動して動作可能な装置である。具体的には、例えば、ＰＯＳ端末２０で商品の売上処理が行われ、釣銭機１０の投入口から紙幣または硬貨が投入されると、この投入金額から売上金額を差し引いた釣銭を出金口から排出する。一方、ＰＯＳ端末２０は、顧客が購入する商品の売上処理を行うとともに入出金情報等を管理する装置である。
【００２４】
図２および図３を参照して釣銭機１０の一般的な構造について説明する。図２は、釣銭札機の外観斜視図である。同図に示す釣銭札機は、硬貨用釣銭機１０Ａと紙幣用釣札機１０Ｂとを有する。硬貨用釣銭機１０Ａは、投入口１１１Ａから投入された硬貨を取り込み、排出口１１２Ａや返却口１１３Ａから硬貨を排出する装置である。紙幣用釣札機１０Ｂは、投入口１１１Ｂから投入された紙幣を取り込み、返却口を兼ねる排出口１１２Ｂから紙幣を排出する装置である。なお、硬貨用釣銭機１０Ａと紙幣用釣札機１０Ｂは、機能的には同様の構成を有する。したがって、本実施例では、説明を簡略化するために、釣銭機として、硬貨用釣銭機１０Ａを用いた場合の実施例について説明することとする。ただし、これは、本発明に適用可能な釣銭機を、硬貨用釣銭機１０Ａに限定するものではない。すなわち、本発明に適用可能な釣銭機は、硬貨用釣銭機１０Ａと紙幣用釣札機１０Ｂとを有する釣銭札機であってもよいし、硬貨用釣銭機１０Ａと紙幣用釣札機１０Ｂのいずれか一方であってもよい。
【００２５】
図３は、釣銭機の上面内部構造図である。同図に示すように、釣銭機１０は、投入口１１１、収納装置１１７、排出口１１２、投入口１１１と収納装置１１７との間に形成される入金搬送経路（経路ａ，経路ｂ，経路ｃ，経路ｄ）、収納装置１１７と排出口１１２との間に形成される出金搬送経路（経路ｅ，経路ｆ）を有する。収納装置１１７には、１円用収納庫１１７１、５０円用収納庫１１７２、５円用収納庫１１７３、１００円用収納庫１１７４、１０円用収納庫１１７５および５００円用収納庫１１７６が設けられている。入金搬送経路には、入金された貨幣の金種を識別して入金額を集計する検銭部１１４と、貨幣を一時的に保留させる一時保留部１１５とが含まれる。出金搬送経路には、収納装置１１７から硬貨を出金させる出金部１１８が含まれる。
【００２６】
このような釣銭機１０において、例えば、投入口１１１から５円硬貨が投入された場合には、５円硬貨は、経路ａを通過して検銭部１１４に搬送される。そして、検銭部１１４で金種が５円であることが識別され、入金額が集計された後に、５円硬貨は、経路ｂを通過して一時保留部１１５に搬送される。その後、一時保留部１１５から搬送された５円硬貨は、収納切換ゲート１２２によって切り換えられた経路ｃおよび経路ｄを通過して５円用収納庫１１７３に格納される。一方、例えば、５円硬貨が出金される場合には、出金部１１８によって５円用収納庫１１７３から出金（経路ｅ）された５円硬貨は、出金切換ゲート１２３によって切り換えられた経路ｆを通過して出金口１１２に排出される。
【００２７】
釣銭機では、入出金処理時に上述した金種の識別や金額の集計等が行われるため、入出金処理に時間を要してしまうが、これらの時間を短縮させることは難しい。一方、ＰＯＳ端末からの開始指示を受けずに釣銭機を単独で操作して入出金処理を行うことで、ＰＯＳ端末での入出金情報の事前入力等を省略させることができるため、そのぶん入出金処理に要する時間を短縮させることができる。そこで、本実施例では、釣銭機１０を単独で操作して入出金処理を行った場合には、その入出金処理の内容をＰＯＳ端末２０に通知させ、その通知を受けたＰＯＳ端末２０では、画面上にアイコンを表示させて、このアイコンをオペレータに実行させることで入出金処理の種類を後から追加入力できることとした。これにより、入出金処理を行うときに商品の精算を待つ顧客がいる場合には、釣銭機１０を単独操作させることで、少しでも早く入出金処理を終了させて、迅速に顧客の精算に対応させることが可能となる。また、ＰＯＳ端末２０にアイコンを表示させることで、オペレータは、精算を待つ顧客がいくなったときに入出金処理の種類を追加入力させることができるため、違算の発生を防ぐことが可能となる。つまり、違算を発生させることなく、釣銭機１０を単独操作させることができ、これにより釣銭機の入出金処理を迅速に行わせることが可能となる。以下に、このような特徴を有するＰＯＳシステムの仕組みについて説明する。
【００２８】
図１に示すように、釣銭機１０は、制御部１０１と、記憶部１０２と、通信部１０３と、入力部１０４と、入出金装置１０５とを有する。制御部１０１は、釣銭機１０を全体制御する制御装置である。記憶部１０２は、制御部１０１での処理に用いられる各種のプログラムやデータを記憶するメモリである。通信部１０３は、釣銭機１０とＰＯＳ端末２０との間で行われる通信を制御する通信インターフェースである。入力部１０４は、各種の情報を入力するための入力部であり、特定の操作ボタンであってもよいし、複数の操作ボタンを操作させて各種情報を入力させる表示部付きの入力装置であってもよい。入金装置１０５は、貨幣投入口から入金された貨幣を貨幣収納部まで搬送するとともに、貨幣収納部から出金される貨幣を貨幣排出口まで搬送する装置である。
【００２９】
制御部１０１は、例えば、単独操作開始指示受信部１１と、入出金処理部１２と、入出金情報送信部１３とを有する。
【００３０】
単独操作開始指示受信部１１は、オペレータが釣銭機１０の入力部１０４を操作することによって発信される単独操作開始指示信号を受信する。単独操作とは、ＰＯＳ端末からの入出金処理の開始指示を受けずに釣銭機を単独の装置として操作させることをいう。すなわち、ＰＯＳ端末からの入出金処理の開始指示を受けてから釣銭機を操作することは含まれない。単独操作信号を受信するか否かによって、この後に入出金処理部１２によって行われる入出金処理の内容をＰＯＳ端末２０に送信するか否かが決定される。つまり、単独操作信号を受信した後に、入出金処理が実行された場合には、入出金処理の内容が、後述する入出金情報送信部１３によってＰＯＳ端末２０に送信される。一方、単独操作信号を受信せずに、入出金処理が実行された場合には、入出金処理の内容はＰＯＳ端末２０に送信されない。これにより、単独操作によって入出金処理が行われた場合にのみ、入出金処理の内容をＰＯＳ端末２０に送信させることができる。一方、ＰＯＳ端末２０からの入出金実行指示を受けて入出金処理が行われた場合には、入出金処理の内容をＰＯＳ端末２０に送信する必要がないため、不要な処理を省くことができる。
【００３１】
入出金処理部１２は、各種の入出金処理を実行する。入出金処理の種別としては、例えば、釣銭準備金を入金する処理、自動販売機の売上を入金する処理、商品券の売上を入金する処理、中間回収金による出金処理等がある。ところで、これらの入出金処理の種別は、ＰＯＳ端末２０からの実行指示によって判別可能な情報である。したがって、単独操作時には、単にオペレータの操作指示にしたがって貨幣を入金する処理または貨幣を出金する処理を行うことになる。なお、この入出金処理の内容は、制御部１０１によって記憶部１０２に記憶されて管理されることになる。
【００３２】
入出金情報送信部１３は、単独操作開始指示受信部１１によって単独操作の開始指示が受信された場合に、その後に入出金処理部１２によって行われた入出金処理の内容を含む入出金情報を、通信部１０３を介してＰＯＳ端末２０に送信する。この入出金情報には、例えば、オペレータＩＤ、入出金区分、入出金額、入出金時刻等が含まれる。また、入出金情報送信部１３は、入出金情報を送信する際に、釣銭機１０とＰＯＳ端末２０との間を接続する回線が通信可能な状態であるか否かを判定し、通信可能な状態であると判定した場合に、入出金情報を送信する。一方、入出金情報送信部１３は、この判定で通信不能な状態であると判定した場合には、ＰＯＳ端末２０との接続回線が通信可能な状態になるまで、所定時間おきに上記判定を繰り返す。ここで、ＰＯＳ端末との接続回線が通信可能であると判定する場合としては、例えば、釣銭機が送信した接続確認信号に対する応答信号をＰＯＳ端末から受信した場合が該当する。一方、ＰＯＳ端末との接続回線が通信不能であると判定する場合としては、例えば、釣銭機が送信した接続確認信号に対する応答信号がＰＯＳ端末から受信できなかった場合が該当する。通信不能となる要因としては、例えば、ＰＯＳ端末が故障する等して電源がＯＦＦになっている場合や、接続回線が切断されている場合などが該当する。
【００３３】
図１に示すように、ＰＯＳ端末２０は、制御部２０１と、記憶部２０２と、通信部２０３と、入力部２０４と、タッチパネル付きディスプレイ２０５と、プリンタ２０６とを有する。制御部２０１は、ＰＯＳ端末２０を全体制御する制御装置である。記憶部２０２は、制御部２０１での処理に用いられる各種のプログラムやデータを記憶するメモリである。通信部２０３は、ＰＯＳ端末２０と釣銭機１０との間で行われる通信を制御する通信インターフェースである。入力部１０４は、各種情報を入力するための入力部であり、例えば、操作キーやバーコードスキャナ等が該当する。タッチパネル付きディスプレイ２０５は、タッチパネルを装備した表示装置である。プリンタ２０６は、各種帳票等を印刷して出力する出力装置である。
【００３４】
制御部２０１は、例えば、入出金情報受信部２１と、アイコン表示／削除部２２と、交代処理禁止／解除部２３と、交代処理実行部２４と、アイコン実行判定部２５と、入力画面表示部２６と、入出金情報登録部２７と、入出金情報印刷部２８とを有する。
【００３５】
入出金情報受信部２１は、釣銭機１０から送信された入出金情報を通信部２０３を介して受信する。
【００３６】
アイコン表示／削除部２２は、入出金情報受信部２１によって入出金情報が受信された場合に、入出金情報が受信されたことを示すアイコンをタッチパネル付きディスプレイ２０５の表示画面上に表示させる。なお、表示画面上に表示させるのはアイコンには限定されず、入出金情報を受信したことをオペレータが認識できる指標を表示させることができればよい。また、アイコン表示／削除部２２は、後述する入出金情報登録部２７によって、釣銭機１０を単独操作することで発生した全ての入出金情報に含まれる入出金額に対応する入出金の種別が登録された場合に、表示画面上からアイコンを削除する。すなわち、入出金の種別が未登録である入出金情報が存在しなくなった場合に、表示画面上からアイコンを削除する。
【００３７】
交代処理禁止／解除部２３は、アイコン表示／削除部２２によってアイコンが表示された場合に、後述する交代処理実行部２４によって実行されるオペレータ交代処理の実行を禁止させる。具体的には、オペレータが交代処理を実行させるときに入力部２０４を介して入力される交代処理の実行指示を無効にする。また、交代処理禁止／解除部２３は、アイコン表示／削除部２２によってアイコンが削除された場合に、オペレータの交代処理の実行の禁止を解除する。
【００３８】
交代処理実行部２４は、ＰＯＳシステムを取り扱うオペレータが交代するときに実行されるオペレータ交代処理を実行する。
【００３９】
アイコン実行判定部２５は、アイコン表示／削除部２２によって表示されたアイコンに対する実行指示の有無を判定する。すなわち、アイコン実行判定部２５は、アイコン表示／削除部２２によって表示されたアイコンに対する実行指示を検知する。アイコンに対する実行指示としては、例えば、指等でアイコンをタッチすることや、ポインティングデバイスのポインタでアイコンを選択してクリックやダブルクリックすること等が該当する。
【００４０】
入力画面表示部２６は、アイコン実行判定部２５によってアイコンへの実行指示が検知された場合に、入出金情報受信部２１によって受信された入出金情報ごとに入出金の種別を入力させる入出金種別入力画面をタッチパネル付きディスプレイ２０５の表示画面上に表示する。ここで、図４を参照して、入出金種別入力画面の画面構成について説明する。図４は、入出金種別入力画面の画面構成を例示する図である。同図に示すように、入出金種別入力画面には、二つの入出金情報が表示されており、それぞれの入出金情報ごとに、入出金の種別を入力するための入力フィールドＦ１，Ｆ２が設けられている。そして、入出金時刻が“14:45”であり、入出金区分が“入金”であり、入出金額が“\23,000”である入出金情報に対応する入出金種別の入力フィールドＦ１には、“釣銭準備金”が入力されている。一方、入出金時刻が“15:30”であり、入出金区分が“出金”であり、入出金額が“\100,000”である入出金情報に対応する入出金種別の入力フィールドＦ２には、“中間回収金”が入力されている。この入力フィールドＦ１，Ｆ２は、プルダウン方式でデータ入力可能なフィールドであり、複数用意された種別の中から該当する種別を選択することで入出金の種別を入力することができる。また、入出金種別入力画面に設けられた登録ボタンがタッチされると、後述する入出金情報登録部２７によって入出金種別を含めた入出金情報がメモリに記憶される。
【００４１】
入出金情報登録部２７は、入出金種別入力画面から入力された入出金の種別を、入出金情報受信部２１によって受信された入出金情報に対応付けて記憶部２０２に記憶させる。図５を参照して、記憶部２０２に記憶される入出金情報のデータ構成について説明する。図５は、入出金情報のデータ構成を例示する図である。同図に示すように、入出金情報は、例えば、オペレータＩＤ、入出金区分、入出金額、入出金時刻、入出金種別を有する。入出金情報のうち、オペレータＩＤ、入出金区分、入出金額、入出金時刻には、釣銭機１０から受信した入出金情報に含まれるオペレータＩＤ、入出金区分、入出金額、入出金時刻の各データが格納される。入出金情報のうちの入出金種別には、入出金種別入力画面で入力された入出金種別のデータが格納される。
【００４２】
入出金情報印刷部２８は、オペレータの操作指示等に従って、記憶部２０２に記憶された入出金情報を用いて、入出金情報の登録結果や、レシート、ジャーナル等の各種の帳票類を印刷してプリンタ２０６から出力させる。
【００４３】
次に、図６および図７を参照して、本実施例における釣銭機１０およびＰＯＳ端末２０の処理手順について説明する。図６は、実施例における釣銭機１０の処理手順を示すフローチャートである。この処理手順では、釣銭準備金を釣銭機１０に入金する際の処理が、釣銭機１０単独で行われた場合について説明する。
【００４４】
最初に、釣銭機１０の単独操作開始指示受信部１１は、オペレータの操作指示によって発信される単独操作の開始指示を受信する（ステップＳ１０１）。
【００４５】
続いて、入出金処理部１２は、投入口から投入される紙幣または硬貨を釣銭準備金として入金するための入出金処理をオペレータの操作指示に従って行う（ステップＳ１０２）。
【００４６】
続いて、入出金情報送信部１３は、釣銭機１０とＰＯＳ端末２０との間を接続する回線が通信可能な状態であると判定した場合（ステップＳ１０３；ＹＥＳ）に、上記ステップＳ１０２の入出金処理で入金された釣銭準備金の額等を含む入出金情報をＰＯＳ端末２０に送信する（ステップＳ１０４）。一方、ＰＯＳ端末２０との接続回線が通信不能な状態であると判定した場合（ステップＳ１０３；ＮＯ）には、ＰＯＳ端末２０との接続回線が通信可能な状態になるまで、所定時間おきにステップＳ１０３の判定を繰り返す。
【００４７】
図７は、実施例におけるＰＯＳ端末２０の処理手順を示すフローチャートである。この処理手順では、上述したステップＳ１０４（図６）において釣銭機１０から送信された入出金情報をＰＯＳ端末２０が受信した場合の処理について説明する。
【００４８】
最初に、ＰＯＳ端末２０の入出金情報受信部２１は、釣銭機１０から送信された入出金情報を受信する（ステップＳ１１１）。
【００４９】
続いて、アイコン表示／削除部２２は、入出金情報が受信されたことを示すアイコンを表示画面上に表示させる（ステップＳ１１２）。
【００５０】
続いて、交代処理禁止／解除部２３は、交代処理実行部２４によるオペレータ交代処理の実行を禁止させる（ステップＳ１１３）。
【００５１】
続いて、アイコン実行判定部２５は、画面上に表示されたアイコンへの実行指示の有無を判定する（ステップＳ１１４）。この判定がＮＯである場合（ステップＳ１１４；ＮＯ）には、実行指示が検知されるまで待機状態となる。一方、アイコンへの実行指示が有ったと判定された場合、すなわち、アイコンへの実行指示が検知された場合（ステップＳ１１４；ＹＥＳ）に、入力画面表示部２６は、入出金種別入力画面を表示画面上に表示する（ステップＳ１１５）。
【００５２】
続いて、オペレータが入出金種別入力画面から入出金種別を選択入力して登録ボタンをタッチすると、入出金情報登録部２７は、入出金種別入力画面から入力された入出金の種別を、入出金情報受信部２１によって受信された入出金情報に対応付けて記憶部２０２に登録する（ステップＳ１１６）。すなわち、入出金の種別を含む入出金情報が記憶部２０２に登録される。
【００５３】
続いて、入出金情報印刷部２８は、記憶部２０２に記憶された入出金情報を用いて、入出金情報の登録結果を印刷してプリンタ２０６から出力させる（ステップＳ１１７）。
【００５４】
次に、アイコン表示／削除部２２は、入出金情報受信部２１によって受信された全ての入出金情報に対応する入出金の種別が登録されているか否かを判定する（ステップＳ１１８）。この判定がＮＯである場合（ステップＳ１１８；ＮＯ）には、処理を上述したステップＳ１１４に移行する。
【００５５】
一方、上述した全ての入出金情報に対応する入出金の種別が登録されていると判定された場合（ステップＳ１１８；ＹＥＳ）に、アイコン表示／削除部２２は、表示画面上からアイコンを削除する（ステップＳ１１９）。
【００５６】
続いて、交代処理禁止／解除部２３は、オペレータの交代処理の実行の禁止を解除する（ステップＳ１２０）。
【００５７】
上述してきたように、本実施例のＰＯＳシステム１によれば、釣銭機１０は、オペレータの操作指示による単独操作の開始指示を受信すると、その後に入出金された入出金額を含む入出金情報をＰＯＳ端末２０に送信することができる。一方、ＰＯＳ端末２０は、釣銭機１０から送信された入出金情報を受信すると、入出金情報が受信されたことを示すアイコンを表示画面上に表示させ、このアイコンに対する実行指示を検知すると、入出金種別入力画面を表示画面上に表示させ、この入出金種別入力画面から入力された入出金の種別を、入出金額を含む入出金情報に対応付けて記憶部に登録させることができるとともに、表示画面上からアイコンを削除させることができる。
【００５８】
したがって、オペレータが釣銭機１０を単独で操作して入出金した場合であっても、その操作により入出金された額を含む入出金情報がＰＯＳ端末２０に確実に通知され、この入出金情報を受信したＰＯＳ端末２０では、入出金情報に対応する入出金の種別をオペレータに入力するように促すことができる。そして、オペレータによって入力された入出金の種別を入出金情報に対応付けてメモリに登録させることができ、釣銭機１０の単独操作により発生した全ての入出金情報の入出金の種別が入力されたときに、オペレータへの入力の促しを終了させることができる。それゆえに、違算を発生させることなく、釣銭機１０を単独操作させることで釣銭機１０の入出金処理を迅速に行わせることができる。
【００５９】
また、本実施例のＰＯＳシステム１によれば、表示画面上にアイコンが表示された場合に交代処理の実行が禁止され、表示画面上からアイコンが削除された場合に交代処理の実行の禁止が解除される。したがって、釣銭機１０を単独で操作したオペレータが、その操作により発生した全ての入出金情報の入出金の種別を入力しない限り、オペレータの交代処理を禁止することができ、全ての入出金情報の入出金の種別を入力し終えた段階で、オペレータの交代処理を再開させることができる。これにより、ＰＯＳ端末２０側では、全ての入出金の内容をより確実に管理することができる。
【００６０】
（付記１）ＰＯＳ端末と釣銭機とを有するＰＯＳシステムであって、
前記釣銭機は、
自機単独での入出金操作を開始させる単独操作開始指示を受信する開始指示受信手段と、
前記開始指示受信手段によって前記単独操作開始指示が受信された場合に、その後に入出金された入出金額を含む入出金情報を前記ＰＯＳ端末に送信する入出金情報送信手段と、を備え、
前記ＰＯＳ端末は、
前記釣銭機から送信された前記入出金情報を受信する入出金情報受信手段と、
前記入出金情報受信手段によって前記入出金情報が受信された場合に、前記入出金情報が受信されたことを示す指標を表示画面上に表示させる指標表示手段と、
前記指標表示手段によって表示された前記指標に対する実行指示を検知する実行指示検知手段と、
前記実行指示検知手段によって前記実行指示が検知された場合に、前記入出金情報に含まれる入出金額ごとに入出金の種別を入力させる入力画面を表示画面上に表示する入力画面表示手段と、
前記入力画面表示手段によって表示された前記入力画面から入力された前記入出金の種別を、前記入出金額を含む前記入出金情報に対応付けて記憶手段に登録する登録手段と、
前記入出金情報受信手段によって受信された全ての前記入出金情報に含まれる入出金額に対応する前記入出金の種別が登録された場合に、前記表示画面上から前記指標を削除する指標削除手段と、を備える
ことを特徴とするＰＯＳシステム。
【００６１】
（付記２）前記ＰＯＳ端末は、
オペレータの交代処理を実行する交代処理実行手段と、
前記指標表示手段によって前記指標が表示された場合に、前記交代処理の実行を禁止させる禁止手段と、
をさらに備えることを特徴とする付記１に記載のＰＯＳシステム。
【００６２】
（付記３）前記ＰＯＳ端末は、
前記指標削除手段によって前記指標が削除された場合に、前記交代処理の実行の禁止を解除する解除手段と、
をさらに備えることを特徴とする付記２に記載のＰＯＳシステム。
【００６３】
（付記４）前記ＰＯＳ端末は、
前記登録手段によって登録された前記入出金の種別および前記入出金情報を用いて各種帳票を印刷して出力する出力手段を
さらに備えることを特徴とする付記１〜３のいずれか１つに記載のＰＯＳシステム。
【００６４】
（付記５）ＰＯＳ端末と釣銭機とを有するＰＯＳシステムを制御する方法であって、
前記釣銭機が、
自機単独での入出金操作を開始させる単独操作開始指示を受信する開始指示受信工程と、
前記開始指示受信工程において前記単独操作開始指示が受信された場合に、その後に入出金された入出金額を含む入出金情報を前記ＰＯＳ端末に送信する入出金情報送信工程と、を含み、
前記ＰＯＳ端末が、
前記釣銭機から送信された前記入出金情報を受信する入出金情報受信工程と、
前記入出金情報受信工程において前記入出金情報が受信された場合に、前記入出金情報が受信されたことを示す指標を表示画面上に表示させる指標表示工程と、
前記指標表示工程において表示された前記指標に対する実行指示を検知する実行指示検知工程と、
前記実行指示検知工程において前記実行指示が検知された場合に、前記入出金情報に含まれる入出金額ごとに入出金の種別を入力させる入力画面を表示画面上に表示する入力画面表示工程と、
前記入力画面表示工程において表示された前記入力画面から入力された前記入出金の種別を、前記入出金額を含む前記入出金情報に対応付けて記憶手段に登録する登録工程と、
前記入出金情報受信工程において受信された全ての前記入出金情報に含まれる入出金額に対応する前記入出金の種別が登録された場合に、前記表示画面上から前記指標を削除する指標削除工程と、を含む
ことを特徴とするＰＯＳシステムの制御方法。
【００６５】
（付記６）前記ＰＯＳ端末が、
オペレータの交代処理を実行する交代処理実行工程と、
前記指標表示工程において前記指標が表示された場合に、前記交代処理の実行を禁止させる禁止工程と、
をさらに含むことを特徴とする付記５に記載のＰＯＳシステムの制御方法。
【００６６】
（付記７）前記ＰＯＳ端末は、
前記指標削除工程において前記指標が削除された場合に、前記交代処理の実行の禁止を解除する解除工程と、
をさらに含むことを特徴とする付記６に記載のＰＯＳシステムの制御方法。
【００６７】
（付記８）前記ＰＯＳ端末は、
前記登録工程において登録された前記入出金の種別および前記入出金情報を用いて各種帳票を印刷して出力する出力工程を
さらに含むことを特徴とする付記５〜７のいずれか１つに記載のＰＯＳシステムの制御方法。
【産業上の利用可能性】
【００６８】
以上のように、本発明にかかるＰＯＳシステムおよびその制御方法は、ＰＯＳ端末と釣銭機とを有するＰＯＳシステムに対して有用であり、特に、釣銭機の入出金処理を迅速に行わせるＰＯＳシステムに適している。
【図面の簡単な説明】
【００６９】
【図１】ＰＯＳシステムの構成を示す図である。
【図２】釣銭札機の外観斜視図である。
【図３】釣銭札機の上面内部構造図である。
【図４】入出金種別入力画面の画面構成を例示する図である。
【図５】入出金情報のデータ構成を例示する図である。
【図６】実施例における釣銭機の処理手順を示すフローチャートである。
【図７】実施例におけるＰＯＳ端末の処理手順を示すフローチャートである。
【符号の説明】
【００７０】
１    ＰＯＳシステム
１０    釣銭機
１１    単独操作開始指示受信部
１２    入出金処理部
１３    入出金情報送信部
１０１    制御部
１０２    記憶部
１０３    通信部
１０４    入力部
１０５    入出金装置
２０    ＰＯＳ端末
２１    入出金情報受信部
２２    アイコン表示／削除部
２３    交代処理禁止／解除部
２４    交代処理実行部
２５    アイコン実行判定部
２６    入力画面表示部
２７    入出金情報登録部
２８    入出金情報印刷部
２０１    制御部
２０２    記憶部
２０３    通信部
２０４    入力部
２０５    タッチパネル付きディスプレイ
２０６    プリンタ
【図１】
2008243056.tif 000003
【図２】
2008243056.tif 000004
【図３】
2008243056.tif 000005
【図４】
2008243056.tif 000006
【図５】
2008243056.tif 000007
【図６】
2008243056.tif 000008
【図７】
2008243056.tif 000009